(57)【特許請求の範囲】
【請求項１】
湯と水を混合調節する温度調節弁と、混合した温度を検出する温度検出部と、温度調節弁を駆動する駆動手段と、人の身体に温度調節弁から送出された湯水を吐出する吐出部と、吐出部経路に設けた主経路開閉弁と排水用開閉弁とを備えると共に、上記温度調節弁は水側リミット位置を検出する水側リミット検出部と、湯側リミット位置を検出する湯側リミット検出部と、水側リミット位置と湯側リミット位置のほぼ中間位置にある中間位置検出部とを設けて形成され、動作開始時に温度調節弁を中間位置に固定した後排水用開閉弁を開くとともにタイマーをスタートし、温度調節弁から送出された出湯温度が所定温度に達するかまたはタイマーがタイマーアップした後、主経路開閉弁を開き、前記排水用開閉弁を閉じた後設定温度制御を行う構成としたシャワー吐出装置。
【発明の詳細な説明】
【０００１】
【発明の属する技術分野】
本発明はシャワー吐出装置に関するものである。
【０００２】
【従来の技術】
従来のシャワー吐出装置を図１０〜図１３に示す。
【０００３】
図１０は従来のシャワー吐出装置のブロック図を示す。一次配管の水１を、一方を給湯機２を介して、他方を直接温度調節部３に接続する。温度調節部３の温度調節弁８を温度調節モータ４で駆動する。温度検出部５によって出湯温度を検出して温度調節モータ４を駆動し設定された温度でシャワーを吐出する。吐出は開閉弁６を開くことにより行う。また給湯機２から給湯配管７を通るため給湯配管７が長い場合、冬期の場合等給湯配管７が冷えるため給湯配管７の長さ等は吐出温度に大きく影響する。９は湯入口で、１０は水入口である。
【０００４】
図１１は従来のシャワー吐出装置の温度調節部の構造図を示す。湯入口９からの湯と水入口１０からの水を温度調節弁８で混合して吐出する。吐出する出湯温度は温度検出部５によって制御する。設定温度と出湯温度を比較し設定温度が出湯温度より高い場合は温度調節モータ４を回転駆動し温度調節弁８を図の右方向に駆動し湯量を増し出湯温度を上げ設定温度に近ずける。設定温度が出湯温度より低い場合は温度調節弁８を図の左方向に駆動し水量を増し出湯温度を下げ設定温度に近ずける。温度調節モータ４には回転軸１１が接続されており、回転軸１１には温度調節弁８が取りつけられている。回転軸１１には円形板１２も取りつけられており、円形板１２には磁石１３が取りつけられている。また円形板１２に対向して円状板１４を設け、円状板１４上に磁界を検出して信号を出力するホール素子１５を取りつけてある。回転軸１１が回転すると磁石１３も共に回転しホール素子１５が取りつけてある位置に磁石１３が近ずくとホール素子１５が信号を出力して温度調節弁８の位置検出を行う。
【０００５】
図１２は温度調節モータ４側からみた円形板１２の平面図である。円形板１２には磁石１３が取りつけられている。
【０００６】
図１３は温度調節モータ４側からみた円状板１４の平面図である。円状板１４にはホール素子１５が取りつけてある。１５ー１は温度調節弁の水側リミット位置を検出する水側リミット検出部であり、１５ー２は湯側リミット位置を検出する湯側リミット検出部である。通常１５ー１は水全開位置に、１５ー２は湯全開位置に設定する。
【０００７】
【発明が解決しようとする課題】
上記従来のシャワー吐出装置は給湯配管が長い場合、冬期の場合等、給湯配管が冷えるため吐出する吐出温度が初期時に低く身体にかかった場合ヒヤッとし血圧の急激な変化等身体に悪影響を及ぼす場合があった。
【０００８】
また温度調節弁の動作は吐出初期時は給湯配管内の温度が低いため湯全開位置で吐出する。その後給湯配管内の温度が高くなると急速度で水全開位置側に移動する。そのため吐出する吐出温度が設定温度に達するまでに時間がかかった。
【０００９】
【課題を解決するための手段】
本発明は上記課題を解決するために、湯と水を混合調節する温度調節弁と、混合した温度を検出する温度検出部と、温度調節弁を駆動する駆動手段と、人の身体に温度調節弁から送出された湯水を吐出する吐出部と、吐出部経路に設けた主経路開閉弁と排水用開閉弁とを備え、動作開始時には前記排水用開閉弁が先に開く構成としたものである。
【００１０】
上記発明によれば、吐出装置の初期時身体に冷水がかからないため血圧の急激な変化等身体に悪影響を及ぼすことがない。
【００１１】
【発明の実施の形態】
本発明の請求項１に係る発明は、湯と水を混合調節する温度調節弁と、混合した温度を検出する温度検出部と、温度調節弁を駆動する駆動手段と、人の身体に温度調節弁から送出された湯水を吐出する吐出部と、吐出部経路に設けた主経路開閉弁と排水用開閉弁とを備えると共に、上記温度調節弁は水側リミット位置を検出する水側リミット検出部と、湯側リミット位置を検出する湯側リミット検出部と、水側リミット位置と湯側リミット位置のほぼ中間位置にある中間位置検出部とを設けて形成され、動作開始時に温度調節弁を中間位置に固定した後排水用開閉弁を開くとともにタイマーをスタートし、温度調節弁から送出された出湯温度が所定温度に達するかまたはタイマーがタイマーアップした後、主経路開閉弁を開き、前記排水用開閉弁を閉じた後設定温度制御を行う構成としたものである。
【００１２】
そして、吐出装置の初期時身体に冷水がかからないため血圧の急激な変化等身体に悪影響を及ぼすことがない。
【００１４】
そして、出湯温度が設定温度に達してから身体にシャワーをかけるため常に好みの温度でシャワーを楽しむことができる。また主経路開閉弁を開いた後排水用開閉弁を閉じる構成としたため途中で出湯停止する期間がなく給湯機の燃焼運転が停止することがないため配管内に冷水がサンドウイッチされない。そのため身体に冷水がかからないのである。
【００１６】
そして、給湯機の設定温度が低く湯温が低い場合等湯の温度が低く出湯温度が設定温度に達しない場合はタイマーにより状態を検出しタイマーアップ後は主経路開閉弁を開くためシャワーが吐出されないことがない。
【００１８】
そして、温度調節弁の位置検出部を３点にし温度調節弁動作をスムーズに行うことができる。
【００２０】
そして、中間位置から設定温度に温度調節弁を駆動するため初期時の温度調節弁の動作に無駄がなく吐出する吐出温度が設定温度に短時間で到達することができる。
【００２２】
そして、給湯機の設定温度が低く湯温が低い場合等湯の温度が低く出湯温度が所定温度に達しない場合はタイマーにより状態を検出しタイマーアップ後は主経路開閉弁を開くためシャワーが吐出されないことがない。
【００２５】
【実施例】
（実施例１）
以下、本発明の実施例について図面を用いて説明する。従来のシャワー吐出装置と同部品には同符号を付している。
【００２６】
図１は本発明のシャワー吐出装置のブロック図である。一次配管の水１を、一方を給湯機２を介して、他方を直接温度調節部１６に接続する。温度調節部１６の温度調節弁１７を駆動手段である温度調節モータ４で駆動する。温度検出部５によって出湯温度を検出して温度調節モータ４を駆動し、設定された温度でシャワーを吐出部２０から吐出する。吐出は主経路開閉弁１９を開くことにより行う。９は湯入口で１０は水入口である。
【００２７】
１８は排水用開閉弁であり、温度調節部１６から送出された出湯温度が設定温度に達するまで開いておき、出湯温度が設定温度に達した後、主経路開閉弁１９を開きシャワー吐出を始める。その後排水用開閉弁１８を閉じる。このような動作によれば給湯配管７が長い場合、冬期の場合等、給湯配管７内の冷水が排水用開閉弁１８から排出されるため身体に冷水がかからない。
【００２８】
図２は本発明のシャワー吐出装置の温度調節部の構造図を示す。湯入口９からの湯と水入口１０からの水を温度調節弁１７で混合して吐出する。吐出する出湯温度は温度検出部５によって設定温度制御を行う。設定温度と出湯温度を比較し設定温度が出湯温度より高い場合は温度調節モータ４を回転駆動し、温度調節弁１７を図の右方向に駆動し、湯量を増し出湯温度を上げ設定温度に近ずける。設定温度が出湯温度より低い場合は温度調節弁１７を図の左方向に駆動し水量を増し出湯温度を下げ設定温度に近ずける。温度調節モータ４には回転軸１１が接続されており、回転軸１１の先にはシール用パッキン２１が取りつけられた可動板２２が設けられている。可動板２２と温度調節弁１７間でバイアスバネ２３を固定する。また温度調節弁１７と温度調節部の壁面２５間で形状記憶バネ２４を固定する。バイアスバネ２３は一般の一定弾性力を有したバネであり、形状記憶バネ２４は温度が低いと弾性力が低下し、温度が高いと弾性力が増大する性質を有したバネである。
【００２９】
前記した構成で温度調節弁１７を設定温度と出湯温度との差により設定温度制御するが、もう少し詳細に説明すると、設定温度が出湯温度より高い場合は温度調節モータ４を回転駆動しバイアスバネ２３を介して温度調節弁１７を図の右方向に駆動し湯量を増し出湯温度を上げ設定温度に近ずける。この時の温度調節弁の制御において出湯温度が低温の場合はバイアスバネ２３の弾性力が形状記憶バネ２４の弾性力より大きく温度調節弁１７を図の右方向に駆動できるが、出湯温度が５０〜６０℃以上の高温になると形状記憶バネ２４の弾性力がバイアスバネ２３の弾性力より小さくなり一定位置以上には駆動しない。
【００３０】
設定温度が出湯温度より低い場合は温度調節モータ４を設定温度が出湯温度より高い場合と反対に回転駆動して温度調節弁１７を図の左方向に駆動し水量を増し出湯温度を下げ設定温度に近ずける。また温度調節モータ４の回転速度は設定温度と出湯温度との温度差により異なり、温度差が大きい場合は早く、温度差が小さい場合は遅く駆動し温度調節弁１７を温度差により左右に異なる速度で駆動する。
【００３１】
回転軸１１には円形板１２も取りつけられており、円形板１２には磁石１３が取りつけられている。また円形板１２に対向して円状板１４を設け、円状板１４上に磁界を検出して信号を出力するホール素子１５を取りつけてある。回転軸１１が回転すると磁石１３も共に回転しホール素子１５が取りつけてある位置に磁石１３が近ずくとホール素子１５が信号を出力して温度調節弁１７の位置検出を行う。
【００３２】
図３は温度調節モータ４側からみた円状板１４の平面図である。円状板１４にはホール素子１５が取りつけてある。１５ー１は温度調節弁の水側リミット位置を検出する水側リミット検出部であり、１５ー２は湯側リミット位置を検出する湯側リミット検出部である。そして上記水側リミット検出部１５ー１と湯側リミット検出部１５ー２のほぼ中間位置に中間位置検出部２６を設けてあり、中間位置では湯の温度が一般によく設定される６０℃時で出湯温度は３５〜４５℃になるように設定してある。
【００３３】
図４はシャワー吐出装置の参考動作例を示すフローチャートである。概略説明をすると動作開始時に排水用開閉弁１８を開き、出湯温度が設定温度と等しくなった後、主経路開閉弁１９を開き、その後排水用開閉弁１８を閉じる構成としている。
【００３４】
動作を詳細に説明すると動作スイッチをＯＮして動作開始（Ｓ１）直後、排水用開閉弁１８を開（Ｓ２）にする。そして出湯温度を検出（Ｓ３）し、Ｓ４に推移し出湯温度＝設定温度でなければ温度調節弁設定温度制御を行い（Ｓ８）、出湯温度＝設定温度ならばＳ５に推移する。Ｓ５では主経路開閉弁１９が開ならばＳ８へ、主経路開閉弁１９が閉ならば主経路開閉弁を開にして（Ｓ６）Ｓ７へ推移し、Ｓ７では排水用開閉弁１８が開ならば閉（Ｓ１０）にしてＳ８へ、排水用開閉弁１８が閉ならばＳ８へ推移する。温度調節弁設定温度制御（Ｓ８）では図２で説明したように設定温度と出湯温度との差により温度調節弁１７を左右に異なる速度で駆動する。温度調節弁１７を所定速度で駆動させながらＳ９で停止スイッチのＯＮを検出しＯＦＦならばＳ３へ戻り出湯温度と設定温度を検出し一連の動作を繰り返す。Ｓ９で停止スイッチがＯＮならば排水用開閉弁１８、主経路開閉弁１９を閉にし、温度調節弁制御を停止して（Ｓ１１）動作を停止する（Ｓ１２）。
【００３５】
図５はシャワー吐出装置の参考動作例を示すフローチャートである。
【００３６】
概略説明をすると動作開始時に排水用開閉弁１８を開くとともにタイマーをスタートし、出湯温度が設定温度に達するかまたはタイマーがタイマーアップした後、主経路開閉弁１９を開き、その後排水用開閉弁１８を閉じる構成としている。図４と同ステップには同番号を付している。
【００３７】
動作を詳細に説明すると図４と同動作のＳ１、Ｓ２後にタイマーＴ１をスタート（Ｓ１３）させる。その後出湯温度を検出し（Ｓ３）、出湯温度が設定温度に達する（Ｓ４）かまたはタイマーがタイマーアップした（Ｓ１４）後Ｓ５に推移する。一方出湯温度が設定温度に達せず（Ｓ４）且つタイマーがタイマーアップしない場合はＳ８に推移する。Ｓ５以降、Ｓ８以降は図４と同動作である。
【００３８】
図６はシャワー吐出装置の参考動作例を示すフローチャートである。
【００３９】
概略説明をすると動作開始時に温度調節弁１７を中間位置に固定した後排水用開閉弁１８を開き、温度調節弁１７から送出された出湯温度が所定温度に達した後、主経路開閉弁１９を開き、排水用開閉弁１８を閉じた後設定温度制御を行う構成としている。
【００４０】
動作を詳細に説明すると動作スイッチをＯＮして動作開始（Ｓ１）直後温度調節弁１７を中間位置に駆動し、固定（中間位置モード）する（Ｓ２１）。その後排水用開閉弁１８を開（Ｓ２）にし、出湯温度を検出し（Ｓ３）、Ｓ２２に推移する。Ｓ２２では中間位置モードが終了した場合はＳ５へ、終了しない場合はＳ２３へ推移する。Ｓ２３では出湯温度が所定温度に到達すればＳ２４へ、到達しない場合はＳ３へ戻る。所定温度は３０℃〜４５℃程度の幅をもった温度にしている。Ｓ２４では中間位置モードを終了しＳ５へ推移する。Ｓ５以降は図５と同一動作を示す。
【００４１】
図７は本発明のシャワー吐出装置の動作例を示すフローチャートである。
【００４２】
概略説明をすると動作開始時に温度調節弁１７を中間位置に固定した後排水用開閉弁１８を開くとともにタイマーをスタートし、温度調節弁１７から送出された出湯温度が所定温度に達するかまたはタイマーがタイマーアップした後、主経路開閉弁１９を開き、排水用開閉弁１８を閉じた後設定温度制御を行う構成としている。
【００４３】
動作スイッチをＯＮして動作開始（Ｓ１）直後温度調節弁１７を中間位置に駆動し固定（中間位置モード）する（Ｓ２１）。その後排水用開閉弁１８を開（Ｓ２）にするとともにタイマーＴ２をスタートし（Ｓ３１）、出湯温度を検出し（Ｓ３）、Ｓ２２に推移する。Ｓ２２では中間位置モードが終了した場合はＳ５へ、終了しない場合はＳ２３へ推移する。Ｓ２３では出湯温度が所定温度に到達すればＳ２４へ、到達しない場合はＳ３２へ推移する。所定温度は３０℃〜４５℃程度の幅をもった温度にしている。Ｓ３２ではタイマーＴ２がタイマーアップすればＳ２４へ推移し、タイマーアップしない場合はＳ３へ戻る。Ｓ５以降は図５と同一動作を示す。
【００４４】
図８はシャワー吐出装置の参考動作例を示すフローチャートである。
【００４５】
概略説明をすると動作開始時に温度調節弁１７を中間位置に固定した後排水用開閉弁１８を開くとともにタイマーをスタートし、温度調節弁１７から送出された出湯温度が所定温度に達した場合は主経路開閉弁１９を開き、排水用開閉弁１８を閉じた後設定温度制御を行い、出湯温度が所定温度に到達せずにタイマーアップした場合には排水用開閉弁１８を閉じ動作を停止する構成としている。
【００４６】
図７と異なる点はＳ２後タイマーＴ３をスタートし（Ｓ４１）、タイマーＴ３がタイマーアップ後にＳ１１へ推移し動作を停止するところである。
【００４７】
図９は本発明のシャワー吐出装置を搭載した搭載例を示している。
人が座って使用するシャワー吐出装置２７であり、複数の吐出部２０を有するアーム部２８と背もたれ部２９からシャワー３０を人に吐出する構成である。
【００４８】
このようなシャワー吐出装置では動作開始時から人にシャワーがかかるため特に動作開始直後に排水用開閉弁を先に開く構成とした本発明は人に冷水がかからず快適なシャワー入浴ができる。
【００４９】
【発明の効果】
以上説明したように本発明の請求項１にかかる発明は、湯と水を混合調節する温度調節弁と、混合した温度を検出する温度検出部と、温度調節弁を駆動する駆動手段と、人の身体に温度調節弁から送出された湯水を吐出する吐出部と、吐出部経路に設けた主経路開閉弁と排水用開閉弁とを備え、動作開始時に前記排水用開閉弁が先に開く構成としたものであるので、吐出装置の初期時身体に冷水がかからないため血圧の急激な変化等身体に悪影響を及ぼすことがない。
【００５０】
また、動作開始時に排水用開閉弁を開き、温度調節弁から送出された出湯温度が設定温度に達した後、主経路開閉弁を開き、その後前記排水用開閉弁を閉じる構成としたものであるので、出湯温度が設定温度に達してから身体にシャワーをかけるため常に好みの温度でシャワーを楽しむことができる。また主経路開閉弁を開いた後排水用開閉弁を閉じる構成としたため、途中で出湯停止する期間がなく給湯機の燃焼運転が停止することがないため配管内に冷水がサンドウイッチされない。そのため身体に冷水がかからないのである。
【００５１】
また、動作開始時に排水用開閉弁を開くとともにタイマーをスタートし、温度調節弁から送出された出湯温度が設定温度に達するかまたはタイマーがタイマーアップした後、主経路開閉弁を開き、その後排水用開閉弁を閉じる構成としたものであるので、給湯機の設定温度が低く湯温が低い場合等湯の温度が低く出湯温度が設定温度に達しない場合はタイマーにより状態を検出しタイマーアップ後は主経路開閉弁を開くためシャワーが吐出されないことがない。
【００５２】
また、温度調節弁は水側リミット位置を検出する水側リミット検出部と、湯側リミット位置を検出する湯側リミット検出部と、水側リミット位置と湯側リミット位置のほぼ中間位置にある中間位置検出部とを設けたものであるので、温度調節弁の位置検出部を３点にし温度調節弁動作をスムーズに行うことができる。
【００５４】
また、動作開始時に温度調節弁を中間位置に固定した後排水用開閉弁を開くとともにタイマーをスタートし、温度調節弁から送出された出湯温度が所定温度に達するかまたはタイマーがタイマーアップした後、主経路開閉弁を開き、排水用開閉弁を閉じた後設定温度制御を行う構成としたものであるので、給湯機の設定温度が低く湯温が低い場合等湯の温度が低く出湯温度が所定温度に達しない場合はタイマーにより状態を検出しタイマーアップ後は主経路開閉弁を開くためシャワーが吐出されないことがない。
【図面の簡単な説明】
【図１】  本発明の実施例におけるシャワー吐出装置のブロック図
【図２】  同シャワー吐出装置の温度調節部の構造図
【図３】  同温度調節モータ側からみた円状板の平面図
【図４】  同シャワー吐出装置の参考動作例を示すフローチャート
【図５】  同シャワー吐出装置の参考動作例を示すフローチャート
【図６】  同シャワー吐出装置の参考動作例を示すフローチャート
【図７】  同シャワー吐出装置の本発明の動作例を示すフローチャート
【図８】  同シャワー吐出装置の参考動作例を示すフローチャート
【図９】  同シャワー吐出装置を搭載した搭載例の斜視図
【図１０】  従来のシャワー吐出装置のブロック図
【図１１】  同シャワー吐出装置の温度調節部の構造図
【図１２】  同温度調節モータ側からみた円形板の平面図
【図１３】  同温度調節モータ側からみた円状板の平面図
【符号の説明】
４  温度調節用モータ（駆動手段）
５  温度検出部
１７  温度調節弁
１８  排水用開閉弁
１９  主経路開閉弁
２０  吐出部
【図１】
0004246814.tif 000002
【図２】
0004246814.tif 000003
【図３】
0004246814.tif 000004
【図４】
0004246814.tif 000005
【図５】
0004246814.tif 000006
【図６】
0004246814.tif 000007
【図７】
0004246814.tif 000008
【図８】
0004246814.tif 000009
【図９】
0004246814.tif 000010
【図１０】
0004246814.tif 000011
【図１１】
0004246814.tif 000012
【図１２】
0004246814.tif 000013
【図１３】
0004246814.tif 000014